(57)【要約】【課題】解決しようとする問題点は、みじん切りを作るには力を入れてつぶす器具を使用するか、まな板の上にゆで卵を置き包丁で切るが、周辺に散乱する上にゆで卵の黄身がまな板にこびりつき大変であった。【解決手段】本発明は、ゆで卵の形状より大きい容器にゆで卵を入れる。容器の底は平らであるが底の上に突起を付け突起の上にゆで卵が乗る形となる。容器の側面周囲には線材が入る細さのスリットが複数本入っている。別途にロの字型の型枠の間に線材を付ける。線材を容器のスリットに入れ、完全に底まで降ろすことでゆで卵全部を切断できる。粗いみじんになったゆで卵を容器の中で動かして移動させ、再度線材を容器のスリットに入れ、底まで降ろす。複数回繰り返すとより細かいみじん切りとなる。他の方法としては、容器を二個用意し一つ目の容器で粗いみじんにした後二つ目の容器を被せてひっくり返し一つ目の容器を取り外す。次に二つ目の容器のスリットに線材を重ね切断する。この繰り返しでより細かいみじん切りができる。【選択図】  図１
2011234815.tif 000002
【特許請求の範囲】
【請求項１】
底部の周囲に側面板が立てられていて、各側面板には線材が入る細さのスリットが複数本入っている卵置き場と、格子状または一方向平行に複数の線材を張った４辺形の枠とを有することを特徴とする簡単ゆで卵みじん切り容器。
【請求項２】
容器の底は平らで、底の上に突起がついている請求項１記載の簡単ゆで卵みじん切り容器。
【請求項３】
容器の上部にスリットに向かう傾斜面を含む高低差をつけることで、線材が楽に入る請求項１記載の簡単ゆで卵みじん切り容器。
【請求項４】
容器と線材に複数箇所にそれぞれ目印をつけ、その箇所を合わせることですぐに線材が楽に入る請求項１記載の簡単ゆで卵みじん切り容器。
【請求項５】
上記の卵置き箱として、互いに被せ合わせることのできる異なる大きさのもの二つをセットにし、それぞれの卵置き箱には重なった二個の容器卵置き箱の一個を取る時に楽に取り出せるように、容器の下部に取っ手板をつけた請求項１記載の簡単ゆで卵みじん切り卵容器。
【発明の詳細な説明】
【技術分野】
【０００１】
本発明は、簡単にゆで卵がみじん切りにできる容器に関するものである。
【背景技術】
【０００２】
従来は、みじん切りを作るには力を入れてつぶす器具を使用するか、まな板の上にゆで卵を置き包丁で切るが、周辺に散乱する上にゆで卵の黄身がまな板にこびりつき大変であった。
【先行技術文献】
【特許文献】
【０００３】
【特許文献１】公開特許２００３−２５１５９１公報
【発明の概要】
【発明が解決しようとする課題】
【０００４】
解決しようとする問題点は、みじん切りを作るには力を入れてつぶす器具を使用するか、まな板の上にゆで卵を置き包丁で切るが、周辺に散乱する上にゆで卵の黄身がまな板にこびりつき大変であった。本発明は、以上のような欠点をなくすためになされた。
【課題を解決するための手段】
【０００５】
本発明は、ゆで卵の形状より大きい容器にゆで卵を入れる。容器の底は平らであるが底の上に突起を付け突起の上にゆで卵が乗る形となる。線材を溝底まで入れたときに突起にぶつからないよう突起の位置を配置する。突起がなければ線材で切ってもゆで卵の下部までは完全に切れないので突起をつけることは重要である。容器の側面周囲には線材が入る細さのスリットが複数本入っている。別途にロの字型の枠板の間にピンと張った格子状線材、または一方向平行の線材を付ける。容器のスリットと線材の間隔を同一にすることで、容器のスリットの中に線材がぴったりと入る。また、衛生上洗いやすいように底と容器は取り外しができるようにしてもよい。格子状線材または一方向平行の線材を容器のスリットに入れ、溝底まで降ろすことでゆで卵の底の部分まで完全に切断できる。粗いみじんになったゆで卵を容器の中で動かして移動させ、再度格子状線材または一方向平行の線材を容器のスリットに入れ、溝底まで降ろす。複数回繰り返すとより細かいみじん切りとなる。動かして移動させるのはゆで卵の違う箇所を切断できるからである。他の方法としては、容器を二個用意し一つ目の容器で粗いみじんにした後二つ目の容器を被せてひっくり返し一つ目の容器を取り外す。次に二つ目の容器のスリットに線材を重ね、溝底まで降ろすことでゆで卵を切断する。この繰り返しでより細かいみじん切りができる。二つの容器は上箱と下箱みたいにピッタリと重なる。以上の構成によりなる簡単みじん切り容器である。
【発明の効果】
【０００６】
本発明は、スリットが入っていて、底に突起がある容器にゆで卵を入れて、ピンと張った格子状線材または一方向平行の線材を、容器の溝底まで降ろすことでゆで卵全部を切断できる。この発明により余分な力を加えることなく簡単に短時間でみじん切りができ、複数回みじん切りを繰り返すことでより細かくなる効果がある。
【０００７】
底と容器は取り外しができるので洗いやすく衛生的である。
【図面の簡単な説明】
【０００８】
【図１】ゆで卵を入れた容器の斜視図
【図２】（ａ）格子状線材の上面図            （ｂ）格子状線材の斜視図
【図３】（ａ）一方向平行の線材の上面図            （ｂ）一方向平行の線材の斜視図
【図４】（ａ）容器の底の上面図            （ｂ）容器の底の側面図
【図５】重なった二個の容器の斜視図
【発明を実施するための形態】
【０００９】
以下、本発明の実施の形態について説明する。                                
【実施例１】
【００１０】
図１、図２、図３、図４に基づいて実施例１を説明する。
【００１１】
容器の説明をすると、ゆで卵の形状より大きい容器１、２（図１、図５）で底は平らで底の上に突起１３（図４）を付け突起の上にゆで卵６（図１、図４−ｂ）が乗る形となる。線材８、１２（図２、図３）を溝底１４（図４）まで入れたときに突起１３（図４）には当たらない位置に突起を配置する。突起がなければ線材で切ってもゆで卵の底までは完全に切れないので突起をつけることはすごく重要な意味をもつ。容器の側面周囲には線材８、１２（図２、図３）が入る細さのスリット４（図１）が複数本入っている。
【００１２】
線材の説明をすると、ロの字型の枠板１０（図２、図３）の間にピンと張った格子状線材８（図２）、または一方向の平行な線材１２（図３）を付ける。容器のスリット４（図１）と線材８、１２（図２、図３）の間隔を同一にすることで、容器のスリット４（図１）の中に線材８、１２（図２、図３）がぴったりと入る。線材８、１２（図２、図３）が入っているロの字型の枠板１０（図２、図３）は容器より大きくなければ容器のスリット４（図１）に線材８、１２（図２、図３）が入らずゆで卵を切ることができない。また、衛生上底と容器は取り外しができるようにしてもよい。
【００１３】
容器の上部は、スリット４（図１）に向かう傾斜面を含む高低差３（図１）をつけることで、線材８，１２（図２、図３）が楽に入る。また、容器と線材に複数箇所にそれぞれ着色を含む目印５（図１、図２、図３）をつけ、その箇所を合わせることで線材が楽に入れられる。
【００１４】
みじん切りの作り方は、容器にゆで卵６（図１、図４）を入れて、容器の周囲にある複数のスリット４（図１）に線材８、１２（図２、図３）を重ね合わせ、ピンと張った格子状線材８（図２）または一方向の平行な線材１２（図３）を容器の溝底１４（図４）まで完全に降ろすことでゆで卵全部を切断できる。
【００１５】
細かいみじんにする時は、みじんになったゆで卵を容器の中で動かして移動させ、再度、線材８、１２（図２、図３）を容器のスリット４（図１）に入れ、溝底１４（図４）まで降ろす。複数回繰り返すとより細かいみじん切りとなる。動かして移動させるのは違う箇所を切断できるからである。この発明で余分な力を加えることなく簡単に短時間でみじん切りにできる。
【実施例２】
【００１６】
図１、図５に基づいて実施例１を説明する。
【００１７】
他の方法としては、容器１（図１）でみじんにした後、容器２（図５）のを被せてひっくり返し容器１（図１）を取り外す。外すときは取っ手板７（図１、図５）が付いているので楽に外せる。次に容器２（図５）のゆで卵をみじんにする。この繰り返しでより細かいみじん切りができる。スリットからゆで卵みじん切りがこぼれないため容器１（図１）と容器２（図５）をはめたときに（図５−１と２）のスリット位置をずらす。二つの容器は上箱と下箱みたいにピッタリと重なる。
【符号の説明】
【００１８】
１  一つ目の容器                                                                ２  二つ目の容器
３  高低差
４  スリット
５  目印  
６  ゆで卵  
７  取っ手板
８  格子状線材
９  容器に入れた時、容器の底面端が来る予定位置
１０  枠板  
１１  押さえ台
１２  一方向の線材
１３  突起
１４  溝底
【図１】
2011234815.tif 000003
【図２】
2011234815.tif 000004
【図３】
2011234815.tif 000005
【図４】
2011234815.tif 000006
【図５】
2011234815.tif 000007